(57)【要約】第１の基地局（ＢＳ）から第２のＢＳへのハンドオーバー遂行時、移動局加入者（ＭＳＳ）でスリープモードに進入する方法が開示される。特に、この方法は、第１のＢＳでスリープモードに進入するステップと、ハンドオーバー間、前記第１のＢＳ内のスリープモード情報を前記第１のＢＳから伝送するステップと、第２のＢＳ内のスリープモードエントリー情報を第２のＢＳから受信するステップとを含む。また、この方法は、第２のＢＳから受信されたスリープモードエントリー情報に基づいてスリープモードに進入するステップを含む。
2007536789.tif 000002
【特許請求の範囲】
【請求項１】
第１の基地局（ＢＳ）から第２のＢＳへのハンドオーバーの遂行時、移動局加入者（ＭＳＳ）でスリープモードに進入する方法であって、
前記第１のＢＳでスリープモードに進入するステップと、
前記ハンドオーバーの間、前記第１のＢＳ内のスリープモード情報を前記第１のＢＳから伝送するステップと、
前記第２のＢＳ内のスリープモードエントリー情報を前記第２のＢＳから受信するステップと、
前記第２のＢＳから受信された前記スリープモードエントリー情報に基づき、スリープモードに進入するステップとを含むことを特徴とする方法。
【請求項２】
前記第２のＢＳから受信されたスリープモード情報は、ハンドオーバーの後に受信されることを特徴とする、請求項１に記載の方法。
【請求項３】
前記第１のＢＳ内の前記スリープモードエントリー情報は、レンジング要請メッセージを介して伝送されることを特徴とする、請求項１に記載の方法。
【請求項４】
前記第２のＢＳ内の前記スリープモード情報は、レンジング応答メッセージを介して受信されることを特徴とする、請求項１に記載の方法。
【請求項５】
前記第２のＢＳ内の前記スリープモードエントリー情報は、レンジング応答メッセージを介して受信されることを特徴とする、請求項１に記載の方法。
【請求項６】
前記スリープ応答メッセージは、自発的なスリープ応答メッセージであることを特徴とする、請求項３に記載の方法。
【請求項７】
前記スリープモードエントリー情報は、前記レンジング要請メッセージに含まれた電力低減クラスパラメータを用いて伝送されることを特徴とする、請求項３に記載の方法。
【請求項８】
前記スリープモードエントリー情報は、前記スリープ応答メッセージに含まれた電力低減クラスパラメータを用いて伝送されることを特徴とする、請求項５に記載の方法。
【請求項９】
前記電力低減クラスパラメータは、伝送方法を示す３つの電力低減クラスパラメータタイプを含むが、第１の電力低減クラスパラメータタイプは伝送レートが可変するＮＲＴ−ＶＲを、第２の電力低減クラスパラメータタイプはＶｏＩＰ又はＲＴ−ＶＲを、第３の電力低減クラスパラメータタイプはスリープモードでＭＳＳに制御メッセージ又はマルチキャスト伝送されるデータの周期的伝送を含むことを特徴とする、請求項７又は請求項８に記載の方法。
【請求項１０】
前記電力低減クラスパラメータタイプが前記第１の電力低減クラスパラメータタイプに設定される場合、クラスパラメータは、初期スリープウインドウ及び最終スリープウインドウパラメータをさらに含むことを特徴とする、請求項９に記載の方法。
【請求項１１】
前記初期スリープウインドウパラメータは、８ビットを含むことを特徴とする、請求項１０に記載の方法
【請求項１２】
前記初期スリープウインドウパラメータのサイズは、初期スリープウインドウフィールドが“１１１１１１１”に設定される場合、２８−１フレームを超過しないことを特徴とする、請求項１１に記載の方法。
【請求項１３】
前記電力低減クラスパラメータタイプが前記第２の電力低減クラスパラメータタイプに設定される場合、クラスパラメータは、初期スリープウインドウパラメータをさらに含むことを特徴とする、請求項９に記載の方法。
【請求項１４】
前記電力低減クラスパラメータタイプが前記第３の電力低減クラスパラメータタイプに設定される場合、クラスパラメータは、最終スリープウインドウパラメータをさらに含むことを特徴とする、請求項９に記載の方法。
【請求項１５】
前記最終スリープウインドウパラメータは、最終スリープウインドウベース及び最終スリープウインドウ指数を含んで最終スリープウインドウのサイズを計算し、前記最終スリープウインドウのサイズは、最終スリープウインドウ＝最終スリープウインドウベース＊２最終ウインドウ指数の式を用いて計算されることを特徴とする、請求項１０に記載の方法。
【請求項１６】
ＭＳＳがスリープモードに進入する方法であって、
第１のＢＳで第１のスリープモードに進入するステップと、
前記第１のＢＳから第２のＢＳへのハンドオーバーを遂行するステップと、
前記ハンドオーバーの後、スリープモードの最終スリープ間隔に関する情報を前記第１のＢＳから前記第２のＢＳに伝送するステップと、
前記第２のＢＳから第２のスリープモードの初期スリープ間隔に関する情報を受信するステップとを含むことを特徴とする方法。
【請求項１７】
前記第１のスリープモードの最終スリープ間隔の持続時間は、前記第２のスリープモードの初期スリープ間隔の持続時間と同一であることを特徴とする、請求項１６に記載の方法。
【請求項１８】
前記最終スリープ間隔に関する情報は、スリープ要請メッセージを介して伝送されることを特徴とする、請求項１６に記載の方法。
【請求項１９】
前記初期スリープ間隔に関する情報は、スリープ応答メッセージを介して伝送されることを特徴とする、請求項１６に記載の方法。
【請求項２０】
第１のＢＳが第２のＢＳにハンドオーバーの遂行時、前記第２のＢＳでＭＳＳ内のスリープモードへのエントリーを制御する方法であって、
前記ハンドオーバーの間、前記ＭＳＳから前記第１のＢＳ内のスリープモードエントリー情報を受信するステップと、
前記ハンドオーバーの後、前記第１のＢＳ内の前記スリープモードエントリー情報に基づき、前記第２のＢＳにスリープモードエントリー情報を伝送するステップとを含むことを特徴とする方法。
【請求項２１】
前記第１のＢＳ内の前記スリープモードエントリー情報は、レンジング要請メッセージを介して受信されることを特徴とする、請求項２０に記載の方法。
【請求項２２】
前記第２のＢＳ内の前記スリープモードエントリー情報は、自発的なスリープ要請メッセージを介して伝送されることを特徴とする、請求項２１に記載の方法。
【発明の詳細な説明】
【技術分野】
【０００１】
本発明は無線アクセスを制御する方法に関し、特に、広帯域アクセスシステムにおけるハンドオーバーを遂行する方法に関する。本発明が広範囲なアプリケーションに適しているものであっても、ハンドオーバーの後、広帯域無線アクセスシステムモード内のスリープモード（ｓｌｅｅｐ  ｍｏｄｅ）を効率良く維持する移動局加入者に適している。
【背景技術】
【０００２】
広帯域無線アクセスシステムは、バッテリーの電力使用を最小化するために移動局加入者（ＭＳＳ：ｍｏｂｉｌｅ  ｓｕｂｓｃｒｉｂｅｒ  ｓｔａｔｉｏｎ）にスリープモードを支援する。スリープモードは、ＭＳＳが電力を低減するために基地局（ＢＳ：ｂａｓｅ  ｓｔａｔｉｏｎ）に伝送出来ないスリープ間隔と、ダウンリンクトラフィックがＢＳからＭＳＳに伝送されるか否かを判定するために２つのスリープモード間で発生する聴取間隔とを含む。広帯域無線アクセスシステムは、現在選択されたトラフィックの特徴により、スリープモードの３つのクラス又はカテゴリを含む。また、スリープモードは、電力低減モードに表現されることができる。電力クラスモードには３つのタイプがあり、さらに電力低減クラスパラメータとして定義される。電力低減クラスパラメータ１（“Ｃｌａｓｓ１”）は、初期スリープウインドウ、最終ウインドウベース、最終ウインドウ指数、聴取ウインドウ及びスリープウインドウパラメータの開始フレーム番号を含む。さらに、Ｃｌａｓｓ１タイプの対象物は、既存インターネットトラフィックからの特徴を含むＢＥ（Ｂｅｓｔ  Ｅｆｆｏｒｔ）又は可変伝送レートを持つＮＲＴ−ＶＲ（Ｎｏｎ−Ｒｅａｌ−Ｔｉｍｅ  Ｖａｒｉａｂｌｅ  Ｒａｔｅ）のような特徴を統合する。
【０００３】
電力低減クラスパラメータ２（“Ｃｌａｓｓ２”）は、ＶｏＩＰ（Ｖｏｉｃｅ  ｏｖｅｒ  Ｉｎｔｅｒｎｅｔ  Ｐｒｏｔｏｃｏｌ）又は伝送レートを可変するＲＴ−ＶＲ（Ｒｅａｌ−Ｔｉｍｅ  Ｖａｒｉａｂｌｅ  Ｒａｔｅ）の特徴を統合する。Ｃｌａｓｓ２は、初期スリープウインドウ、聴取ウインドウ及びスリープウインドウパラメータの開始フレーム番号を含む。
【０００４】
電力低減クラスパラメータ３（“Ｃｌａｓｓ３”）は、スリープモード内のＭＳＳに制御メッセージを、ＤＣＤ／ＵＣＤ（Ｄｏｗｎｌｉｎｋ  Ｃｈａｎｎｅｌ  Ｄｅｓｃｒｉｐｔｉｏｎ／Ｕｐｌｉｎｋ  Ｃｈａｎｎｅｌ  Ｄｅｓｃｒｉｐｔｉｏｎ）と、ハンドオーバー用の隣接するＢＳカバレッジ領域の情報を受信したり、マルチキャスト伝送用データを伝送するためのＭＯＢ−ＮＢＲ−ＡＤＶと共に、周期的に伝送するものを含む。Ｃｌａｓｓ３は、最終ウインドウベース、最終ウインドウ指数及びスリープウインドウパラメータの開始プレーム番号を含む。
【０００５】
Ｃｌａｓｓ１において、ＭＳＳのスリープモードの動作は、特定レートで増加し得る聴取間隔及びスリープ間隔の動作により影響される。聴取間隔の持続時間は、ＭＯＢ−ＳＬＰ−ＲＥＱメッセージ及びＭＯＢ−ＳＬＰ−ＲＳＰメッセージにより決定される。ＭＯＢ−ＳＬＰ−ＲＥＱメッセージは、ＭＳＳがスリープモードに進入できる場合にＢＳを要請するＭＳＳから伝送される。ＭＯＢ−ＳＬＰ−ＲＳＰメッセージは、要請に対する応答を伝送するＢＳからＭＳＳにより受信される。聴取間隔の間、ＭＳＳはＭＡＣ（Ｍｅｄｉｕｍ  Ａｃｃｅｓｓ  Ｃｏｎｔｒｏｌ）の制御メッセージであるトラフィック指示メッセージ（ＭＯＢ−ＴＲＦ−ＩＮＤ）を受信する。このメッセージにより、ＭＳＳは任意のダウンリンクトラフィックが伝送されるか、又は、アップリンク伝送維持管理及び信号品質に関連するダウンリンクコーディングタイプを維持するためのレンジング（ｒａｎｇｉｎｇ）が遂行されなければならないかに関する情報を獲得する。
【０００６】
ＭＳＳは、スリープ間隔の間、電力を低減させるためにＢＳからダウンリンク信号の最小量だけを受信する。スリープモードの間にも、ＭＳＳはハンドオーバーが遂行されなければならず、レンジングを遂行することができる場合に隣接するＢＳをスキャンできる。
【０００７】
スリープモードにおいて、ＭＳＳは、聴取間隔の間、ＭＯＢ−ＴＲＦ−ＩＮＤメッセージを受信し、スリープモードを継続するか、ダウンリンク信号を受信するためにスリープモードを終了するか、或いは、スリープ間隔の間レンジングを遂行するか否かを判定する。図１は、Ｃｌａｓｓ１スリープモードの動作を例示する図である。図１によれば、ＭＳＳは、エントリーにスリープモードを要請するために、ＢＳに伝送されたＭＯＢ−ＳＬＰ−ＲＥＱメッセージを伝送する（Ｓ１１）。ＭＯＢ−ＳＬＰ−ＲＥＱメッセージは、初期スリープ間隔、最終スリープ間隔及び聴取間隔に関する情報を含む。初期スリープ間隔、最終スリープ間隔及び聴取間隔に関連した情報は、フレームに表現されることができる。
【０００８】
ＭＳＳのスリープモードへの進入をＢＳが許容すれば、ＭＯＢ−ＳＬＰ−ＲＳＰメッセージはＭＳＳにより受信される（Ｓ１２）。ＭＯＢ−ＳＬＰ−ＲＳＰメッセージは、初期スリープ間隔、最終スリープ間隔、聴取間隔及びスリープモード進入ポイントに関する情報を含む。ＭＯＢ−ＳＬＰ−ＲＳＰメッセージに含まれた初期スリープ間隔、最終スリープ間隔及び聴取間隔に関する情報は、ＭＯＢ−ＳＬＰ−ＲＥＱメッセージの初期スリープ間隔、最終スリープ間隔及び聴取間隔に含まれた情報と同一又は異なる。
【０００９】
ＭＯＢ−ＳＬＰ−ＲＳＰメッセージを受信後、ＭＳＳは、特定持続時間の間、スリープモードに十分進入する。初期スリープ間隔が満了すれば、ＭＳＳは聴取間隔に進入する。ＭＳＳは、聴取間隔の間ＭＯＢ−ＴＲＦ−ＩＮＤメッセージを受信し（Ｓ１３）、ＢＳから伝送される場合、所定のダウンリンクトラフィックを受信する。ダウンリンクトラフィックの伝送不在時、ＭＳＳは連続的なスリープ間隔に進入して特定持続時間の間スリープモードに残る。このような第２又は連続的なスリープ間隔の持続時間は、第１のスリープ間隔の持続時間から測定される。例えば、第２のスリープ間隔の持続時間は、第１のスリープ間隔の持続時間の２倍になり得る。また、第３のスリープ間隔の持続時間は、第２のスリープ間隔のサイズによって測定される。
【００１０】
第２のスリープ間隔が満了した後、ＭＳＳは他の聴取間隔に進入する。ＭＳＳは、ＭＯＢ−ＴＲＦ−ＩＮＤメッセージを聴取間隔の間受信し（Ｓ１４）、所定のダウンリンクトラフィックが存在するか否かを判定する。ダウンリンクトラフィックが存在すれば、ＭＳＳは、スリープモードを終了し、正規モードに戻ってＢＳからダウンリンクトラフィックを受信する。
【００１１】
しかしながら、ＭＳＳが、聴取間隔の間、任意のダウンリンクトラフィックを検出できない場合、連続的なスリープ間隔の持続時間は前述したように増加する。スリープ間隔の持続時間におけるこのような激しい増加は、スリープ間隔の持続時間が最終スリープ間隔の持続時間と整合するまで繰返される。このような点で、スリープ間隔の持続時間は、最終スリープ間隔の持続時間と同一に維持される。
【００１２】
ＭＯＢ−ＳＬＰ−ＲＥＱ／ＲＳＰメッセージに含まれた最終スリープ間隔に関する情報は、最終スリープウインドウベース及び最終ウインドウ指数に表現されることができる。ここで、最終スリープ間隔は、下記の式（１）を用いて計算できる。
【００１３】
最終スリープウインドウ＝最終スリープウインドウベース＊２最終ウインドウ指数・・（１）
ＭＳＳがスリープモードからハンドオーバーを遂行しなければならない場合、例えば、ＭＳＳは隣接するＢＳカバレッジ領域に進入し、スリープモードを終了し、ハンドオーバーを遂行する。スリープ間隔の持続時間における増加について前述したように、スリープ間隔の連続的な持続時間はスリープモードにおいてＭＳＳに対する以前スリープ間隔の持続時間よりも長い。この理由は、ＢＳが現在スリープ間隔の間どんなダウンリンクトラフィックも伝送されなかったと決定したためである。これにより、ダウンリンクトラフィックが次のスリープ間隔で発生しない可能性が高くなる。よって、ＢＳは、スリープ間隔の持続時間が最終スリープ間隔の持続時間と整合するまで、それぞれの聴取間隔後、スリープ間隔の持続時間を増加させる。
【００１４】
しかしながら、ＭＳＳがハンドオーバーを遂行するためにスリープモードを終了する場合、ＭＳＳはハンドオーバーが完了した後スリープモードに戻る。このとき、ＭＳＳはスリープ間隔の持続時間を構築するプロセスを繰返さなければならない。換言すれば、ＭＳＳは、このプロセスの開始で行うように、スリープモードに進入することを要請するＭＯＢ−ＳＬＰ−ＲＥＱメッセージをＢＳに伝送すべきである。結果として、ＭＳＳは、ＢＳに要請してスリープモードに再進入すべきであり、初期スリープ間隔から始まるスリープ間隔の持続時間を連続的に構築すべきである。
【００１５】
一般的に、ハンドオーバーは、ダウンリンクトラフィックの伝送が発生するか否かに関係なくＭＳＳの動きの結果として発生する。従って、ＭＳＳが、ハンドオーバーの発生により、所定のスリープ間隔又は最終スリープ間隔に到達する初期スリープ間隔又は最初からスリープモードに再進入することは非効率的である。さらに、スリープ間隔の持続時間が最初から再進入するため、聴取間隔がよく現れ、これによりＭＯＢ−ＴＲＦ−ＩＮＤメッセージを不要に伝送する。
【００１６】
例えば、スリープ間隔において１０２４フレームを持つＭＳＳがハンドオーバーを実行する場合、新しいセル内のスリープ間隔において１０２４フレームを持つスリープモードに到達するために、ＭＳＳは、初期スリープ間隔が２つのフレームを持つという仮定の下に、９つのＭＯＢ−ＴＲＦ−ＩＮＤメッセージを受信する。その結果、リソース及び電力は９つのＭＯＢ−ＴＲＦ−ＩＮＤメッセージを送受信するのに消耗される。
【００１７】
Ｃｌａｓｓ２において、ＭＳＳのスリープモードは、固定の持続時間を持つスリープ間隔及び聴取間隔により発生する。図２は、Ｃｌａｓｓ２スリープモードの動作を例示する図である。図２によれば、ＭＳＳは、エントリーにスリープモードを要請するために、ＭＯＢ−ＳＬＰ−ＲＥＱメッセージをＢＳに伝送される（Ｓ２１）。ＭＯＢ−ＳＬＰ−ＲＥＱメッセージは、初期スリープ間隔及び聴取間隔に関する情報を含む。初期スリープ間隔、最終スリープ間隔及び聴取間隔に関連した情報は、フレームに表現されることができる。
【００１８】
ＭＳＳのスリープモードへの進入をＢＳが許容すれば、ＭＯＢ−ＳＬＰ−ＲＳＰメッセージはＭＳＳにより受信される（Ｓ２２）。ＭＯＢ−ＳＬＰ−ＲＳＰメッセージは、初期スリープ間隔、聴取間隔及びスリープモード進入ポイントに関する情報を含む。ＭＯＢ−ＳＬＰ−ＲＳＰメッセージに含まれた初期スリープ間隔、最終スリープ間隔及び聴取間隔に関する情報は、ＭＯＢ−ＳＬＰ−ＲＥＱメッセージの初期スリープ間隔、最終スリープ間隔及び聴取間隔に含まれた情報と同一又は異なる。
【００１９】
ＭＯＢ−ＳＬＰ−ＲＳＰメッセージを受信後、ＭＳＳは、特定持続時間の間、初期スリープモードに十分進入する。初期スリープ間隔が満了すれば、ＭＳＳは聴取間隔に進入する。聴取間隔の間、ＭＳＳは、ＢＳでアップリンク／ダウンリンクトラフィックを維持するために対応する周期を獲得し、ＢＳから伝送されたダウンリンクトラフィックを受信することができる（Ｓ２３）。
【００２０】
聴取間隔の満了後、ＭＳＳは、初期スリープ間隔の持続時間に対するスリープモードに再進入する。また、ＭＳＳは、ダウンリンクトラフィックを受信できる時点であるスリープ間隔の満了後、聴取間隔に戻る。ＭＳＳがスリープモードの終了を所望する場合、ＭＯＢ−ＳＬＰ−ＲＥＱはスリープモードの終了を要請するように聴取間隔の間使用されることができ（Ｓ２４）、ユーザーデータをＢＳに伝送する。
【００２１】
しかしながら、スリープモードの間、ＭＳＳがハンドオーバーを遂行するためにスリープモードを終了した後、正規モードに戻る場合、ＭＳＳはハンドオーバーが完了してからスリープモードに再進入する。このとき、ＭＳＳは、スリープモードに進入するために、以前に行なわれたようにＭＯＢ−ＳＬＰ−ＲＥＱメッセージをＢＳに伝送しなければならず、ＭＯＢ−ＳＬＰ−ＲＳＰメッセージを受信しなければならない。その結果、ＭＳＳは、ハンドオーバー動作を完了した後、スリープモードに直ぐ再進入できないが、スリープモードに進入する手順を繰返す必要はない。
【００２２】
Ｃｌａｓｓ３において、ＭＳＳは、周期的なレンジング手順を介して伝送された情報に基づいてスリープモードに進入する。図３は、Ｃｌａｓｓ３スリープモードの動作を例示する図である。図３によれば、ＭＳＳは、ＢＳでアップリンク伝送を維持するために、レンジング手順を周期的に遂行することで、アップリンク伝送パラメータを獲得する。すなわち、ＭＳＳは、レンジング要請（ＲＮＧ−ＲＥＱ）メッセージを伝送し（Ｓ３１）、ＢＳからレンジング応答（ＲＮＧ−ＲＳＰ）メッセージを受信する（Ｓ３２）。
【００２３】
ＲＮＧ−ＲＳＰメッセージは、最終スリープ間隔及びスリープモードエントリーポイントを含むアップリンク伝送パラメータ及び電力低減クラスパラメータに関する情報を含む。ＭＳＳは、ＲＮＧ−ＲＳＰメッセージを受信した後、スリープモードに進入し、最終スリープ間隔の持続時間の間スリープモードに残る。スリープ間隔が満了された後、ＭＳＳは正規モードにおいてＢＳと通信を行い、ハンドオーバー手順を周期的に遂行する（Ｓ３３、Ｓ３４）。レンジング手順の間、ＭＳＳはＲＮＧ−ＲＳＰメッセージを受信し（Ｓ３４）、電力低減パラメータがＲＮＧ−ＲＳＰメッセージに含まれれば、ＭＳＳはＲＮＧ−ＲＳＰメッセージによってスリープモードに進入する。しかしながら、ＭＳＳがスリープモードを終了し、ハンドオーバー動作を遂行するために正規モードに戻る場合、ＭＳＳはハンドオーバー動作を遂行した後、スリープモードに再進入する。このとき、ＭＳＳは、ハンドオーバーの遂行前に伝送されたものと同一のＲＮＧ−ＲＥＱメッセージ又はスリープ要請メッセージを伝送すべきである。その結果、ＭＳＳは、スリープモードに再進入するように許容する前に、スリープ要請メッセージ又はＲＮＧ−ＲＳＰメッセージを受信すべきである。
【発明の開示】
【発明が解決しようとする課題】
【００２４】
したがって、本発明は、従来技術の制限及び短所による一つ以上の問題点を実質的に解消する、広帯域無線アクセスシステムにおけるハンドオーバーを遂行する方法を提供する。
【００２５】
本発明の目的は、ハンドオーバー後、スリープモードに効率良く再進入するために、スリープモード情報を提供する方法を提供することにある。
【００２６】
本発明の他の目的は、ハンドオーバー遂行時、ＭＳＳでスリープモードを進入する方法を提供することにある。
【００２７】
本発明のさらに他の目的は、ＭＳＳでスリープモードに対するエントリーを制御する方法を提供することにある。
【００２８】
本発明の利点、目的及び特徴は、次の詳細な説明に開示され、当業者には次の説明から自明であったり、本発明の実施から学習されることができる。本発明の目的及び他の利点は、開示された詳細な説明、特許請求の範囲及び添付された図面で指摘された構造により得られる。
【課題を解決するための手段】
【００２９】
前記目的を達成するために、本発明による第１の基地局（ＢＳ）から第２のＢＳへのハンドオーバーの遂行時、移動局加入者（ＭＳＳ）でスリープモードに進入する方法は、前記第１のＢＳでスリープモードに進入するステップと、前記ハンドオーバーの間、前記第１のＢＳ内のスリープモード情報を前記第１のＢＳから伝送するステップと、前記第２のＢＳ内のスリープモードエントリー情報を前記第２のＢＳから受信するステップと、前記第２のＢＳから受信された前記スリープモードエントリー情報に基づき、スリープモードに進入するステップとを含む。
【００３０】
また、本発明によるＭＳＳがスリープモードに進入する方法は、第１のＢＳで第１のスリープモードに進入するステップと、前記第１のＢＳから第２のＢＳへのハンドオーバーを遂行するステップと、前記ハンドオーバーの後、スリープモードの最終スリープ間隔に関する情報を前記第１のＢＳから前記第２のＢＳに伝送するステップと、前記第２のＢＳから第２のスリープモードの初期スリープ間隔に関する情報を受信するステップとを含む。
【００３１】
前述した従来技術の説明及び次の本発明の詳細な説明は、例示のためのものであり、特許請求の範囲に開示された発明を説明するためのものであることを理解すべきである。
【発明を実施するための最良の形態】
【００３２】
以下、添付図面に基づき、本発明の好適な実施形態を詳細に説明する。また、図において、同一又は類似な部分は、出来る限り同じ参照符号を付いて説明する。
【００３３】
スリープモードにおいてそれぞれの電力低減クラスパラメータの動作に関するメッセージとしては、ＭＯＢ−ＳＬＰ−ＲＥＱ、ＭＯＢ−ＳＬＰ−ＲＳＰ及びＭＯＢ−ＴＲＦ−ＩＮＤメッセージがある。ＭＯＢ−ＳＬＰ−ＲＥＱメッセージは、ＭＳＳがスリープモードを要請するＭＡＣ制御メッセージである。このメッセージは、スリープ間隔及び聴取間隔に関する情報を含む。さらに、ＭＯＢ−ＳＯＰ−ＲＳＰメッセージは、要請に対する応答又は答弁をＭＳＳに提供するＭＡＣ制御メッセージである。このメッセージは、スリープモードに対する要請が認定されるか否かに関する情報と、スリープ間隔、聴取間隔及びスリープ識別に関する情報とを含む。これにより、ＭＳＳは、スリープモードを維持するか否か、ダウンリングトラフィックを受信するためにスリープモードを終了するか否か、又は、スリープモードの間レインジング手順を遂行するか否かを判定するために、ＭＯＢ−ＴＲＦ−ＩＮＤメッセージを用いてトラフィック指示メッセージを受信する。
【００３４】
レンジング応答メッセージは、複数のカプセル化ＴＬＶフィールドからなる可変長パラメータである電力低減クラスパラメータを含む。換言すれば、必要に応じて、電力低減クラスパラメータは、特定タイプパラメータ及び多様な要因からなるパラメータを含むことができる。
【００３５】
図４は、スリープモード情報を伝送する第１の例を示す図である。図４によれば、スリープモードの間、ＭＳＳは、作用ＢＳからターゲットＢＳへのハンドオーバーを進入するために、ハンドオーバー指示（ＭＯＢ−ＨＯ−ＩＮＤ）メッセージを作用ＢＳに伝送する（Ｓ４１）。ＭＳＳがハンドオーバー後、スリープモードを維持しながらハンドオーバーを遂行すべきである場合、作用ＢＳはレンジング手順の間、最終スリープウインドウのサイズ情報をターゲットＢＳに伝送できる。特に、作用ＢＳは、最終スリープ間隔に関する情報をＲＮＧ−ＲＥＱメッセージを介して伝送できる（Ｓ４２）。レンジング動作は、ターゲットＢＳでダウンリンクコーディングタイプに関連した信号品質及びアップリンク伝送を維持するプロセスを意味する。
【００３６】
ＲＮＧ−ＲＥＱメッセージの一例は、次の表１に示される。
【００３７】
（表１）
【００３８】
【表１】
2007536789.tif 000003
次の表２は、ＲＮＧ−ＲＥＱメッセージに含まれたスリープモードパラメータの一例が示される。
【００３９】
（表２）
【００４０】
【表２−１】
2007536789.tif 000004
【００４１】
【表２−２】
2007536789.tif 000005
表２の例と類似しているように、ＲＮＧ−ＲＥＱメッセージに電力低減クラスパラメータを付加することにより、ＭＳＳは、ハンドオーバー後、スリープモードに残るための要求に関する情報をターゲットＢＳに伝送できる。
【００４２】
ＭＳＳがターゲットＢＳに対するハンドオーバーを遂行した後（Ｓ４３）、ターゲットＢＳがＭＳＳにスリープモードに進入するようにする場合、ＭＳＳは、ターゲットＢＳでＭＳＳがスリープモードに進入するようにする（Ｓ４４）自発的なＭＯＢ−ＳＬＰ−ＲＳＰメッセージを受信する。  ＭＯＢ−ＳＬＰ−ＲＳＰメッセージは、ＭＳＳの初期スリープ間隔の持続時間に関する情報を含む。初期スリープ間隔の持続時間は、ＲＮＧ−ＲＥＱメッセージに含まれた以前スリープ間隔の持続時間と同一又は異なる。つまり、ターゲットＢＳは、ハンドオーバー前に以前スリープ間隔の値と同一の初期スリープ間隔の値を設定するか否かを判定する。以前スリープ間隔は、ハンドオーバー前に作用ＢＳでＭＳＳのスリープ間隔を言う。
【００４３】
本発明の他の実施形態において、レンジング要請メッセージに対する応答として、ＢＳ２は表２に示すような電力低減クラスパラメータを用いてレンジング応答メッセージを伝送できる。このとき、電力低減クラスパラメータはレンジング応答メッセージに含まれる。その結果、ＭＳＳは、図４の自発的なスリープ応答メッセージを受信することなく、スリープモードに進入できる。
【００４４】
自発的なＭＯＢ−ＳＬＰ−ＲＳＰメッセージにおいて、初期スリープ間隔の値は８ビットに制限される。スリープウインドウのサイズがハンドオーバー前に２８−１フレームより大きい場合、ＭＯＢ−ＳＬＰ−ＲＳＰは表現されることができない。また、このように、大きい初期スリープウインドウを表現するために、下記の表３に示された情報は、自発的なＭＯＢ−ＳＬＰ−ＲＳＰメッセージに含まれることができる。表３は、自発的なＭＯＢ−ＳＬＰ−ＲＳＰメッセージに含まれた初期スリープ間隔に関する情報を含む。
【００４５】
（表３）
【００４６】
【表３】
2007536789.tif 000006
図５は、スリープモード情報の伝送例を示す図である。図５によれば、スリープモード内のＭＳＳは、ＭＯＢ−ＨＯ−ＩＮＤメッセージを作用ＢＳに伝送し、作用ＢＳからターゲットＢＳへのハンドオーバーを遂行する（Ｓ５１）。その後、ＭＳＳは、ＲＮＧ−ＲＥＱメッセージをＢＳ２に伝送し（Ｓ５２）、ＲＮＧ−ＲＳＰメッセージを受信する（Ｓ５３）ことにより、レンジング手順を遂行する。レンジング動作は、ターゲットＢＳでダウンリンクタイプに関連した信号品質及びアップリンク伝送を維持するプロセスを意味する。
【００４７】
表４は、ＲＮＧ−ＲＳＰメッセージの一例である。ＲＮＧ−ＲＥＱメッセージの一例は表１に示された。
【００４８】
（表４）
【００４９】
【表４】
2007536789.tif 000007
ＭＳＳが、ハンドオーバーを実行した後（Ｓ５４）、スリープモードに残りたい場合、作用ＢＳは最終スリープ間隔の情報をターゲットＢＳに伝送する。ここで、ＭＳＳは、スリープ間隔に対する必要な初期スリープウインドウ値を決定し、作用ＢＳのスリープ間隔に対する以前スリープウインドウ値に関係なくターゲットＢＳに情報を伝送できる。
【００５０】
スリープ間隔に対する以前スリープウインドウ値は、ハンドオーバー後、ＭＯＢ−ＳＬＰ−ＲＥＱメッセージを介してターゲットＢＳに伝送できる（Ｓ５５）。続いて、ターゲットＢＳは、ＭＯＢ−ＳＬＰ−ＲＳＰメッセージを介して初期スリープウインドウ値をＭＳＳに伝送できる（Ｓ５６）。ここで、ＭＳＳから伝送されたスリープ間隔に対する初期スリープウインドウ値は、ターゲットＢＳから伝送されたスリープ間隔に対する初期スリープウインドウ値と同一または異なる。
【００５１】
自発的なＭＯＢ−ＳＬＰ−ＲＳＰメッセージにおいて、初期スリープウインドウの値は８ビットに制限される。スリープウインドウのサイズがハンドオーバー前に２８−１フレームより大きい場合、ＭＯＢ−ＳＬＰ−ＲＳＰは表現されることができない。よって、  ＭＯＢ−ＳＬＰ−ＲＥＱ／ＲＳＰメッセージは、大きい初期スリープウインドウを表現するために、初期スリープウインドウのサイズを拡大する必要がある。表５は、初期スリープウインドウのサイズ伝送方法の第１の例によるＭＯＢ−ＳＬＰ−ＲＥＱメッセージのフォーマットを示す。
【００５２】
（表５）
【００５３】
【表５】
2007536789.tif 000008
ＭＯＢ−ＳＬＰ−ＲＥＱメッセージが表５のように構成されれば、２８−１以上のフレームを持つ初期スリープウインドウのサイズは表現されることができない。このとき、ＭＳＳは、初期スリープウインドウのサイズを示す初期スリープウインドウフィールドを“１１１１１１１”に設定し、ハンドオーバー後、初期スリープウインドウが２８−１以上のフレームのスリープウインドウのサイズを持つようにする。好ましくは、初期スリープウインドウのサイズは、ハンドオーバー前、以前スリープウインドウのサイズと同一である。
【００５４】
表６は、初期スリープウインドウのサイズ伝送方法の第２の例によるＭＯＢ−ＳＬＰ−ＲＥＱメッセージのフォーマットを示す。
【００５５】
（表６）
【００５６】
【表６】
2007536789.tif 000009
表７は、初期スリープウインドウのサイズ伝送方法の第２の例によるＭＯＢ−ＳＬＰ−ＲＳＰメッセージのフォーマットを示す。
【００５７】
（表７）
【００５８】
【表７】
2007536789.tif 000010
表７は、ＭＯＢ−ＳＬＰ−ＲＥＱ／ＲＳＰメッセージのフォーマットが表６及び表７のように構成されれば、初期スリープウインドウのサイズを示す初期スリープウインドウフィールドは２９ビットに割り当てられ、ハンドオーバーの後、初期スリープウインドウのサイズの情報が表現されることができる。好ましくは、初期スリープウインドウのサイズは、ハンドオーバー前、以前スリープウインドウのサイズと同一である。
【００５９】
表８は、初期スリープウインドウのサイズ伝送方法の第３の例によるＭＯＢ−ＳＬＰ−ＲＥＱメッセージのフォーマットを示す。
【００６０】
（表８）
【００６１】
【表８】
2007536789.tif 000011
表９は、初期スリープウインドウのサイズ伝送方法の第３の例によるＭＯＢ−ＳＬＰ−ＲＳＰメッセージのフォーマットを示す。
【００６２】
（表９）
【００６３】
【表９】
2007536789.tif 000012
ＭＯＢ−ＳＬＰ−ＲＥＱ／ＲＳＰメッセージに関する表８及び表９に示すように、初期スリープウインドウのサイズは、下記の式（２）を用いて計算できる。
【００６４】
初期スリープウインドウ＝初期スリープウインドウベース＊２以前スリープカウント・・（２）
初期スリープウインドウ情報をＢＳ２に伝送するために、“初期スリープウインドウベース”フィールド及び“以前スリープカウント”フィールドは、ＭＯＢ−ＳＬＰ−ＲＥＱ／ＲＳＰメッセージに含まれるべきである。また、ＭＳＳ及びＢＳは、上記の式（２）を用いてＢＳ２で初期スリープウインドウのサイズを計算する。好ましくは、初期スリープウインドウのサイズは、ハンドオーバー前、以前スリープウインドウのサイズと同一である。
【００６５】
表１０は、初期スリープウインドウのサイズ伝送方法の第４の例によるＭＯＢ−ＳＬＰ−ＲＥＱメッセージのフォーマットを示す。
【００６６】
（表１０）
【００６７】
【表１０】
2007536789.tif 000013
表１１は、初期スリープウインドウのサイズ伝送方法の第４の例によるＭＯＢ−ＳＬＰ−ＲＳＰメッセージのフォーマットを示す。
【００６８】
（表１１）
【００６９】
【表１１】
2007536789.tif 000014
ＭＯＢ−ＳＬＰ−ＲＥＱ／ＲＳＰメッセージに関する表８及び表９に示すように、初期スリープウインドウのサイズは、下記の式（３）を用いて計算できる。
【００７０】
初期スリープウインドウ＝初期スリープウインドウベース＊２以前スリープカウント・・（３）
各ＢＳカバレッジ領域の最終スリープウインドウのサイズは、下記の式（４）を用いて計算できる。
【００７１】
最終スリープウインドウ＝初期スリープウインドウベース＊２最大スリープカウント・・（４）
初期スリープウインドウ情報をＢＳ２に伝送するために、“初期スリープウインドウベース”フィールド、“最大スリープカウント”フィールド及び“以前スリープカウント”フィールドは、ＭＯＢ−ＳＬＰ−ＲＥＱ／ＲＳＰメッセージに含まれるべきである。ＭＳＳ及びＢＳ２は、ＢＳ２で初期スリープウインドウのサイズを計算するために、上記の式（２）利用できる。好ましくは、初期スリープウインドウのサイズは、ハンドオーバー前、以前スリープウインドウのサイズと同一である。また、ＭＳＳ及びＢＳは、最終スリープウインドウのサイズを計算するために、上記の式（４）を利用できる。
【００７２】
本発明に対する多様な修正及び変形が可能であることは当業者において明らかである。したがって、本発明は、添付された特許請求の範囲内で提供される本発明の修正及び変形をカバーする。
【図面の簡単な説明】
【００７３】
本出願の一部として結合されて構成される添付図面は、本発明の追加理解を提供するためのもので、本発明の実施形態を例示し、詳細な説明と共に本発明の原理を説明する作用をする。
【図１】電力低減クラスパラメータタイプ１におけるスリープモードの動作を示す図である。
【図２】電力低減クラスパラメータタイプ２におけるスリープモードの動作を示す図である。
【図３】電力低減クラスパラメータタイプ３におけるスリープモードの動作を示す図である。
【図４】スリープモード情報を伝送する第１の例を示す図である。
【図５】スリープモード情報を伝送する第２の例を示す図である。
【図１】
2007536789.tif 000015
【図２】
2007536789.tif 000016
【図３】
2007536789.tif 000017
【図４】
2007536789.tif 000018
【図５】
2007536789.tif 000019
【国際調査報告】
2007536789.tif 000020
2007536789.tif 000021
2007536789.tif 000022
2007536789.tif 000023